(57)【要約】【課題】任意の情報を見本プリントに表示することができるプリント用画像データ生成システム及び見本プリント作成システム並びにプリント用画像データ生成プログラムの提供。【解決手段】注文単位毎の画像データを画像データ取得手段で取得し、該画像データのサムネイル画像を注文単位毎にプリントするためのプリント用画像データをプリント用画像データ生成手段で生成し、予めスポンサー情報と表示内容とを対応づけて記憶する記憶手段と、スポンサー情報を含む注文にかかる顧客情報を取得する顧客情報取得手段と、取得した顧客情報に含まれるスポンサー情報に対応する表示内容を抽出する表示内容抽出手段とを有し、前記プリント用画像データ生成手段は、注文単位毎の画像データのサムネイル画像と共に抽出した表示内容とが表示されたプリントとなるようにプリント用画像データを生成するプリント用画像データ生成システム。【選択図】        図１
2005165867.tif 000002
【特許請求の範囲】
【請求項１】
注文単位毎の画像データを画像データ取得手段で取得して、該画像データのサムネイル画像を注文単位毎にプリントするためのプリント用画像データをプリント用画像データ生成手段で生成するプリント用画像データ生成システムにおいて、
予めスポンサー情報と表示内容とを対応づけて記憶する記憶手段と、
スポンサー情報を含む注文にかかる顧客情報を取得する顧客情報取得手段と、
取得した顧客情報に含まれるスポンサー情報に対応する表示内容を抽出する表示内容抽出手段とを有し、
前記プリント用画像データ生成手段は、注文単位毎の画像データのサムネイル画像と共に抽出した表示内容とが表示されたプリントとなるようにプリント用画像データを生成することを特徴とするプリント用画像データ生成システム。
【請求項２】
請求項１記載のプリント用画像データ生成システムと、生成されたプリント用画像データに基づいてプリントを行うプリンタとを備えたことを特徴とする見本プリント作成システム。
【請求項３】
顧客情報取得手段により取得された店情報に基づいて記憶手段からスポンサー情報に対応する表示内容を抽出する機能と、
画像データ取得手段で取得した注文にかかる画像データの注文後とのサムネイル画像と前記抽出した表示内容とが表示されたプリントとなるようにプリント用画像データを生成する機能とを有することを特徴とするプリント用画像データ生成プログラム。
【発明の詳細な説明】
【技術分野】
【０００１】
本発明はプリント用画像データ生成システム及び見本プリント作成システム並びにプリント用画像データ生成プログラムに関し、詳しくは注文単位毎のサムネイル画像と共に任意の情報を表示した見本プリントを作成することが可能なプリント用画像データ生成システム及び見本プリント作成システム並びにプリント用画像データ生成プログラムに関する。
【背景技術】
【０００２】
近年、フィルムパッケージのフィルム現像及びプリントを行うラボでは、受け付け店で受け付けたフィルムについて、注文単位であるフィルムパッケージ毎に現像した画像のサムネイル画像を１枚の見本プリントとしてプリント作成することが行われている。この見本プリントは、ポジ画像を表示しているので、従来のネガプリントに比べ、プリントとの一致を簡単に確認できるので便利であり、急速に普及しつつある。
【０００３】
今までの見本プリントは、フィルムパッケージのサムネイル画像が表示されているのでユーザが再度プリントを依頼する際にプリント画像を指定するために用いられたり、プリントをフィルム毎に取りまとめる際に実際の画像と合わせて確認する際に用いられたりして重宝されている。このように、従来の考え方では、見本プリントは、フィルムの焼き増し注文や管理のために用いられる媒体にすぎなかった。
【発明の開示】
【発明が解決しようとする課題】
【０００４】
そこで、本発明者は、見本プリントはフィルムの焼き増し注文や現像された写真を管理する上でも利用され、ユーザの目に付きやすいので、見本プリントを宣伝媒体と捉えて顧客に応じた任意の情報を表示することによって、見本プリントに宣伝効果をもたせることができることを見出し本発明に至った。
【０００５】
本発明の課題は、任意の情報を見本プリントに表示することができるようにしたプリント用画像データ生成システム及び見本プリント作成システム並びにプリント用画像データ生成プログラムを提供することにある。
【課題を解決するための手段】
【０００６】
上記課題は、以下の各発明によって解決される。
【０００７】
（請求項１）注文単位毎の画像データを画像データ取得手段で取得して、該画像データのサムネイル画像を注文単位毎にプリントするためのプリント用画像データをプリント用画像データ生成手段で生成するプリント用画像データ生成システムにおいて、予めスポンサー情報と表示内容とを対応づけて記憶する記憶手段と、スポンサー情報を含む注文にかかる顧客情報を取得する顧客情報取得手段と、取得した顧客情報に含まれるスポンサー情報に対応する表示内容を抽出する表示内容抽出手段とを有し、前記プリント用画像データ生成手段は、注文単位毎の画像データのサムネイル画像と共に抽出した表示内容とが表示されたプリントとなるようにプリント用画像データを生成することを特徴とするプリント用画像データ生成システム。
【０００８】
（請求項２）請求項１記載のプリント用画像データ生成システムと、生成されたプリント用画像データに基づいてプリントを行うプリンタとを備えたことを特徴とする見本プリント作成システム。
【０００９】
（請求項３）顧客情報取得手段により取得された店情報に基づいて記憶手段からスポンサー情報に対応する表示内容を抽出する機能と、
画像データ取得手段で取得した注文にかかる画像データの注文後とのサムネイル画像と前記抽出した表示内容とが表示されたプリントとなるようにプリント用画像データを生成する機能とを有することを特徴とするプリント用画像データ生成プログラム。
【発明の効果】
【００１０】
本発明によれば、任意の情報を見本プリントに表示することができるようにしたことにより、顧客に対応した表示内容を表示することにより的確な宣伝効果が得られ、顧客には宣伝料による現像代金の割引等のサービスが図れるプリント用画像データ生成システム及び見本プリント作成システム並びにプリント用画像データ生成プログラムトを提供することができる。
【発明を実施するための最良の形態】
【００１１】
以下、本発明の実施の形態について説明する。
【００１２】
図１は、本発明のプリント用画像データ生成プログラムの処理を実現するプリント用画像データ生成システムの概略構成の一例を示す図である。
【００１３】
図１において、本発明のプリント用画像データ生成システムは、プリント用画像データを生成するプリント用画像データ生成部１００、画像を読み取る画像データ取得手段としての画像読取部２００、スポンサー情報を含む顧客情報の取得を行う顧客情報取得手段としての顧客情報取得部３００を備えている。尚、４００は好ましく設けられるプリンタであり、かかるプリント用画像データ生成システムに付加することにより見本プリント作成システムとすることができる。
【００１４】
プリント用画像データ生成部１００は、本発明のプリント用画像データ生成プログラムをインストールすることにより、画像読取部２００、顧客情報取得部３００、プリンタ４００を制御しつつ各種処理を行う。
【００１５】
画像読取部２００は、注文単位毎に現像された画像の画像データを入力する装置であり、例えば、ネガフィルムを読み取って画像データを生成することができるスキャナやＣＤ−ＲやＭＯ等の各種記録媒体に記録された画像データを読み取ることができるデータドライブ等を用いることができるが、注文単位毎に画像データが取得できる装置であれば特に限定されない。生成した画像データはプリント用画像データ生成部１００に送られる。
【００１６】
顧客情報取得部３００は、前記画像読取部２００で取得した画像データに対する顧客情報を取得する装置であり、例えば、キーボードやタッチパネル等の各種入力装置を用いることができる。取得される顧客情報は、スポンサー情報を含むことが好ましい。
【００１７】
画像読取部２００で取得した画像データと顧客情報取得部３００で取得した顧客情報とを注文単位毎に一致させるためには、例えば、１注文単位の画像データが取得されると、それに対応する顧客情報の入力をオペレータに要求する方法や、１注文単位に対応する顧客情報が取得されると、前記画像読取部２００において該注文単位の画像の読み取りが促される方法によることが好ましい。
【００１８】
プリンタ４００は、生成されたプリント用画像データから見本プリントを作成するためのプリントを行う装置であり、例えばインクジェットプリンタ、レーザプリンタ等を用いることができるが、特に限定されない。
【００１９】
注文単位毎の画像データとは、１つの見本プリントに表示される画像データのまとまりをいい、例えばフィルムパッケージの現像にかかる注文の場合は、フィルムパッケージ１個を単位とする画像データをいう。
【００２０】
図２はプリント用画像データ生成システムに用いられるプリント用画像データ生成部の一例を示すブロック図である。
【００２１】
プリント用画像データ生成部１００は、プリント用画像データ生成システムの各部を制御するメイン制御部１０１と、画像読取部２００で取得した画像データの入力を受け付ける画像入力部１０２と、プログラムを格納したり、スポンサー情報と表示内容とを関連づけたデータテーブルや画像入力部１０２から入力した画像データを記憶したりする記憶手段としての主記憶部１０３と、画像データや顧客情報を取得する処理を行う画像データ取得手段及び顧客情報取得手段としてのデータ取得処理部１０４と、見本プリントにサムネイル画像と表示する情報を決定するための表示内容抽出手段としての表示内容抽出処理部１０５と、見本プリントをプリントする際の画像データであるプリント用画像データを生成する処理を行うプリント用画像データ生成手段としてのプリント用画像データ生成処理部１０６と、各種データの入出力を受け付けるデータ入出力部１０７と、生成されたプリント用画像データを出力するプリント用画像データ出力部１０８とを備えている。
【００２２】
このとき、主記憶部１０３に記憶されるスポンサー情報と表示内容とを関連づけたデータテーブルは、例えば、図３に示すようなテーブルとすることができる。図３（ａ）は、第１のテーブルであり、図３（ｂ）は第２のテーブルである。図３（ａ）の第１のテーブルからスポンサー情報に対応する表示内容コードを抽出し、抽出した表示内容コードに対応する表示内容を図３（ｂ）の第２のテーブルから抽出することによりスポンサー情報に対応する表示内容を決定することができる。
【００２３】
次に、本発明のプリント用画像データ生成プログラムによって制御されて実現するプリント用画像データ生成システムの動作について以下詳細に説明する。
【００２４】
図４は、本発明のプリント用画像データ生成プログラムによって制御される図１のプリント用画像データ生成システムの処理フローを示す図である。
【００２５】
図４において、注文単位毎の画像データ及び顧客情報を取得する（Ｓ１）。
【００２６】
画像データ及び顧客情報の取得のトリガーとしては、図示しないキーボードやマウス等の入力手段によりオペレータによる画像データあるいは顧客情報の取得する旨の指示を受け付けたこと、あるいはプリント用画像データ生成部１００のデータ取得処理部１０４が自動的に所定のタイミングと判断したことがトリガーとなる。
【００２７】
画像データの取得は、画像入力部１０２においてデータ取得処理部１０４の制御に基づいて画像データ及び顧客情報を取得することによりなされる。具体的には、上記のいずれかのトリガーがあったと判断されたときに、画像読取部２００においてネガフィルムをスキャンすることによって生成した画像データを取得したり、画像データを記録した例えばコンパクトフラッシュ（登録商標）、スマートメディア、メモリースティック（登録商標）、マルチメディアカード、ＳＤメモリーカード、フレキシブルディスク、ＭＯ、ＣＤ−Ｒ等の外部記録媒体から画像データを取得する。
【００２８】
顧客情報の取得は、データ取得処理部１０４の制御に基づいて顧客情報取得部３００におけるオペレータによる顧客情報の入力を受けてデータ入出力部１０７を介して取得する。
【００２９】
顧客情報と画像データは注文単位毎に対応づけられる。顧客情報は、画像の現像を受注した際に設定される情報であり、スポンサーに応じて設定されるスポンサー情報を含んでおり、その他必要に応じて、例えば画像枚数とか、仕上がり予定日（納期）等の注文にかかる情報を含んでいる。
【００３０】
次いで、取得した顧客情報に含まれるスポンサー情報に対応する表示内容を抽出する（Ｓ２）。
【００３１】
表示内容の抽出は、表示内容抽出処理部１０５により主記憶部１０３に記憶された図３に示すようなスポンサー情報と表示内容とが関連づけられたテーブルから抽出される。具体的には、例えば取得したスポンサー情報が「１１１」であった場合は、図３（ａ）に示す第１のテーブルから対応する表示内容コードが「Ｂ、Ｅ」と決定される。かかる表示内容コードが決定されると、図３（ｂ）に示す第２のテーブルから該表示内容コードに対応する表示内容「プリントラボＢ店」のロゴと「５０円割引券」のロゴとを表示内容として抽出することができる。
【００３２】
表示内容が抽出されると、注文単位毎に画像データと抽出した表示内容とを含むプリント用画像データを生成する（Ｓ３）。
【００３３】
プリント用画像データの生成は、プリント用画像データ生成処理部１０６により、図５に示すような見本プリントを作成するためのプリント用のデータが生成されることによって行われる。プリント用画像データ生成処理部１０６により生成される見本プリントは、図５に示すように、見本プリント内に注文単位の画像データのサムネイル画像を複数表示するサムネイル画像表示部１１を有し、同じ見本プリント１０内にスポンサー情報に対応する表示内容１２ａ、１２ｂが表示されている。本発明のプリント用画像データ生成システムにおいては、顧客情報にスポンサー情報を設定すればそれに応じた表示内容を見本プリントに表示できるので、よりフレキシブルな表示内容を見本プリントに表示することができる。
【００３４】
例えば、受け付け店が「１１月中は観光写真現像割引キャンペーン」を宣伝したい場合は、スポンサー情報を受け付け店毎に設定して表示内容を「１１月中は観光写真現像割引キャンペーン」と設定することによって受け付け店が所望する宣伝内容を見本プリントに表示させることができる、また、「若い女性」に「○×洋品店」の宣伝をしたい場合は、お客さんが「若い女性」であることをスポンサー情報に設定して表示内容を「○×洋品店」と設定することによって、若い女性の見本プリントに「○×洋品店」の宣伝内容を表示させることができる。このように、本発明によれば、顧客に対応した表示内容を表示することにより的確な宣伝効果が得られ、その引き替えに顧客には宣伝料による現像代金の割引等のサービスが図れる。
【００３５】
生成されたプリント画像データは、プリント用画像データ出力部１０８を介してプリンタ４００に送られてプリントされることによって、見本プリントを得ることができる。
【００３６】
本発明により得られる見本プリントには、いわゆるインデックスプリントを含んでいる。
【００３７】
尚、上記の態様では、メイン制御部１０１とデータ取得処理部１０４と表示内容抽出処理部１０５とプリント用画像データ生成処理部１０６とを別々の装置として説明したが、各制御及び処理を行うためのプログラムを記憶したＲＯＭやＲＡＭ等の主記憶装置と該プログラムを演算処理するＣＰＵ等の演算装置により一体として構成することができる。
【００３８】
本発明のプログラムは、見本プリントを作成する写真スタジオなどのコンピュータにインストールしたりして実施可能になるが、インストールする手段は本発明のプログラムを記憶保存してなる記録媒体を介して行ってもよいし、あるいはネット経由でプログラムをダウンロードしてもよい。
【図面の簡単な説明】
【００３９】
【図１】本発明のプリント用画像データ生成システムの概略構成の一例を示す図
【図２】プリント用画像データ生成部の一例を示すブロック図
【図３】スポンサー情報と表示内容とを関連づけたデータテーブルの一例を示す図
【図４】プリント用画像データ生成システムの処理フローの一例を示す図
【図５】本発明による見本プリントの一例をを示す図
【符号の説明】
【００４０】
１００：プリント用画像データ生成部
１０１：メイン制御部
１０２：画像入力部
１０３：主記憶部
１０４：データ取得処理部
１０５：表示内容抽出処理部
１０６：プリント用画像データ生成処理部
１０７：データ入出力部
１０８：プリント用画像データ出力部
２００：画像読取部
３００：顧客情報取得部
４００：プリンタ
【図１】
2005165867.tif 000003
【図２】
2005165867.tif 000004
【図３】
2005165867.tif 000005
【図４】
2005165867.tif 000006
【図５】
2005165867.tif 000007